(57)【要約】【課題】往信先にて手間をかけずに、かつ往信先及び返信先に確実に送付可能とする。【解決手段】送付物を収納する収納部１５ａを具備する封筒１０と、往信用宛先情報３１が表示された宛先シート３０とを有する送付体１において、封筒１０は、宛先シート３０を収納可能とし、宛先シート３０が収納された場合に往信用宛先情報３１が表出する窓部１４ｂを具備するとともに、窓部１４ｂに対向する領域に返信用宛先情報１７が表示された収納部１５ｂを有する。【選択図】図１
2010173659.tif 000002
【特許請求の範囲】
【請求項１】
送付物を収納する第１の収納部を具備する封筒と、往信用宛先情報が表示された宛先シートとを有する送付体であって、
前記封筒は、前記宛先シートを収納可能とし、前記宛先シートが収納された場合に前記往信用宛先情報が表出する窓部を具備するとともに、前記窓部に対向する領域に返信用宛先情報が表示された第２の収納部を有する送付体。
【発明の詳細な説明】
【技術分野】
【０００１】
本発明は、封筒を用いた送付体に関し、特に、往信のみならず返信にも使用可能な送付体に関する。
【背景技術】
【０００２】
従来より、印刷物等の書類や手紙等を送付する場合に、この書類や手紙等を封入する封筒が用いられている。このような封筒は、２枚のシートによって袋形状の封筒本体が構成されるとともに、２枚のシートのうち一方のシートに連接した封用蓋片を有し、袋形状の封筒本体に、上述したような書類や手紙等の内容物が封入された後、封用蓋片が折り畳まれて封緘されることになる。
【０００３】
近年、このような封筒を用いてＣＤやＤＶＤ等の発送及び返却が行われている。封筒を用いてＣＤやＤＶＤ等の発送及び返却を行う場合は、発送先を示す往信先宛先情報を封筒に表示するとともに、返却先を示す返信先宛先情報を往信時には外部から視認不可能に封筒に表示しておく必要がある。そこで、封筒を構成するシートの表面に往信先宛先情報を表示するとともに、封筒を構成するシートの裏面に返信先宛先情報を表示しておき、ＣＤやＤＶＤ等の発送先において封筒を裏返して返信用封筒とすることができる往復封筒用シートが考えられている（例えば、特許文献１参照。）。ところが、上述したような往復封筒用シートにおいては、ＣＤやＤＶＤ等の発送先において封筒を切り開いて裏返す必要があり、手間がかかってしまう。
【０００４】
ここで、ＣＤやＤＶＤ等の発送先を示す往信先宛先情報が一方の面に表示され、ＣＤやＤＶＤ等の返却先を示す返信先宛先情報が他方の面に表示された宛先シートを、窓付き封筒に往信先宛先情報が窓部から表出するようにＣＤやＤＶＤ等とともに封入し、その後、ＣＤやＤＶＤ等の発送先において、ＣＤやＤＶＤ等を返却する際、宛先シートを裏返し、返信先宛先情報が窓部から表出するようにＣＤやＤＶＤ等とともに再度封入して発送すれば、封筒を切り開かずにＣＤやＤＶＤ等が封入されてきた封筒を用いてＣＤやＤＶＤ等を返却することができるようになる。
【先行技術文献】
【特許文献】
【０００５】
【特許文献１】特開２００６−２８２２１５号公報
【発明の概要】
【発明が解決しようとする課題】
【０００６】
しかしながら、上述したようにＣＤやＤＶＤ等の発送先を示す往信先宛先情報が一方の面に表示され、ＣＤやＤＶＤ等の返却先を示す返信先宛先情報が他方の面に表示された宛先シートを用いた場合、この宛先シートを封筒に封入する際に表裏を間違える虞れがあり、表裏を間違えて封筒に封入してしまうと、封筒に封入された送付物が送付先に届かない、あるいは返却先に返却されないことになってしまうという問題点がある。また、送付物の送付先にてこの宛先シートを紛失してしまった場合においても、送付物を返却先に返却できなくなってしまうという問題点がある。
【０００７】
また、宛先シートに表示された往信用宛先情報や返信先宛先情報を、封筒の窓部から確実に表出させるには、封筒の大きさと宛先シートの大きさとをできるだけ同じ大きさとすることが好ましいが、その場合、送付物の送付先にて宛先シートを封筒に再度封入する際、宛先シートが封入しにくく、手間がかかってしまうという問題点がある。
【０００８】
本発明は、上述したような従来の技術が有する問題点に鑑みてなされたものであって、往信先にて手間をかけずに、かつ往信先及び返信先に確実に送付可能とする送付体を提供することを目的とする。
【課題を解決するための手段】
【０００９】
上記目的を達成するために本発明は、
送付物を収納する第１の収納部を具備する封筒と、往信用宛先情報が表示された宛先シートとを有する送付体であって、
前記封筒は、前記宛先シートを収納可能とし、前記宛先シートが収納された場合に前記往信用宛先情報が表出する窓部を具備するとともに、前記窓部に対向する領域に返信用宛先情報が表示された第２の収納部を有する。
【００１０】
上記のように構成された本発明においては、往信時には、封筒の第１の収納部に送付物を収納するとともに、往信用宛先情報が表示された宛先シートを封筒の第２の収納部に収納する。すると、第２の収納部には、宛先シートが収納された場合に往信用宛先情報が表出する窓部が設けられているため、宛先シートに表示された往信用宛先情報が外部から視認可能な状態となり、この往信用宛先情報に従って送付物が往信先に送付される。送付物の往信先からこの送付体を返信する場合は、宛先シートを第２の収納部から取り出す。第２の収納部には、宛先シートが収納された場合に往信用宛先情報が表出する窓部が設けられているが、この窓部に対向する領域には返信用宛先情報が表示されているため、第２の収納部から宛先シートを取り出すと、返信用宛先情報が窓部から視認可能な状態となり、この返信用宛先情報に従って送付体が返信先に送付されることになる。
【００１１】
このように、送付物の送付先にてこの送付体を返信する場合、第２の収納部に収納された宛先シートを取り出すだけでよいため、往信先にて返信に手間をかけることがなく、また、返信時には返信用宛先情報が窓部から確実に視認可能な状態となる。
【発明の効果】
【００１２】
以上説明したように本発明においては、送付物を収納する第１の収納部を具備する封筒と、往信用宛先情報が表示された宛先シートとを有する送付体であって、封筒が、宛先シートを収納可能とし、宛先シートが収納された場合に往信用宛先情報が表出する窓部を具備するとともに、窓部に対向する領域に返信用宛先情報が表示された第２の収納部を有する構成としたため、往信時には、宛先シートに表示された往信用宛先情報が窓部から視認可能となり、また、送付物の送付先にてこの送付体を返信する際は、第２の収納部に収納された宛先シートを取り出すだけで返信用宛先情報が窓部から視認可能となり、それにより、往信先にて手間をかけずに、かつ往信先及び返信先に確実に送付可能となる。
【図面の簡単な説明】
【００１３】
【図１】本発明の送付体の実施の一形態を示す図であり、（ａ）は封緘していない状態における表面図、（ｂ）は（ａ）に示したＡ−Ａ’断面図、（ｃ）は（ａ）に示したＢ−Ｂ’断面図、（ｄ）は内部の構成を示す図、（ｅ）は（ａ）に示した宛先シートの構成を示す図である。
【図２】図１に示した送付体によって送付される送付物の一例を示す図である。
【図３】図１に示した送付体によって図２に示したＣＤを送付する場合の使用方法を説明するための図である。
【図４】図１に示した送付体によって図２に示したＣＤを返却する場合の使用方法を説明するための図である。
【発明を実施するための形態】
【００１４】
以下に、本発明の実施の形態について図面を参照して説明する。
【００１５】
図１は、本発明の送付体の実施の一形態を示す図であり、（ａ）は封緘していない状態における表面図、（ｂ）は（ａ）に示したＡ−Ａ’断面図、（ｃ）は（ａ）に示したＢ−Ｂ’断面図、（ｄ）は内部の構成を示す図、（ｅ）は（ａ）に示した宛先シート３０の構成を示す図である。
【００１６】
本形態は図１に示すように、封筒１０と、この封筒１０に収納される宛先シート３０とから構成されている。
【００１７】
封筒１０は、紙やフィルム材料からなり、折り部１３ａを介して一辺どうしにて互いに連接した前面片１１及び後面片１２と、紙やフィルム材料からなり、前面片１１の折り部１３ａとは反対側の辺に設けられた折り部１３ｂを介して前面片１１と連接したフラップ部２０とから構成されており、前面片１１と後面片１２とが互いに対向するように折り部１３ａにて折り畳まれて折り部１３ａに隣接する２辺が粘着剤１６によって互いに貼着されることにより、折り部１３ａとは反対側の辺が、封入物が封入される開口部となる袋形状が形成されている。
【００１８】
前面片１１と後面片１２とは、折り部１３ａに隣接する２辺以外にも、折り部１３ａに隣接する２辺に並行して塗布された粘着剤１６によって互いに貼着されており、それにより、封筒１０の内部は、それぞれが上述した開口部に連通した第１の収納部１５ａと第２の収納部１５ｂとに分離されている。収納部１５ａは、この送付体１を用いて送付する送付物を収納するためのものであり、収納部１５ｂは、宛先シート３０を収納可能とするものである。前面片１１には、収納部１５ａ，１５ｂとなる領域のそれぞれに、封筒１０の内部が外部から視認可能となる窓部１４ａ，１４ｂが設けられている。また、後面片１２の窓部１４ｂに対向する領域には、この送付体１を返信する際の返信先の住所や名称を示す返信先宛先情報１７が表示されている。
【００１９】
フラップ部２０は、折り部１３ｂを介して前面片１１に連接した返信用フラップ部２１と、返信用フラップ部２１の折り部１３ｂとは反対側にて連接した往信用フラップ部２２とから構成されており、これら返信用フラップ部２１と往信用フラップ部２２とは、ジッパー部２３によって切り離し可能となっている。また、返信用フラップ部２１及び往信用フラップ部２２のそれぞれは、フラップ部２０が折り部１３ｂにて折り畳まれた場合に後面片１２に対向する面に、粘着剤２４が塗布され、この粘着剤２４によって剥離紙２５が剥離可能に貼着されている。
【００２０】
宛先シート３０は、この送付体１を送付する際の往信先の住所や氏名を示す往信先宛先情報３１と、この送付体１を識別可能な識別コードとなるバーコード３２と、封筒１０に封入された送付物の利用明細情報３３とが表示されており、宛先シート３０が収納部１５ｂに収納された場合に、往信用宛先情報３１とバーコード３２とが、封筒１０の窓部１４ｂから表出するようになっている。
【００２１】
以下に、上記のように構成された送付体１の使用方法について説明する。
【００２２】
まず、図１に示した送付体１によって送付される送付物について説明する。
【００２３】
図２は、図１に示した送付体１によって送付される送付物の一例を示す図である。
【００２４】
図１に示した送付体１によって送付される送付物としては、例えば、図２に示すようにフィルム袋４１に封入されたＣＤ４０が挙げられる。ＣＤ４０は、一辺の長さがＣＤ４０の直径とほぼ等しい正方形のフィルム袋４１に封入され、図１に示した封筒１の収納部１５ａに収納される。ＣＤ４０が封入されたフィルム袋４１には、バーコード４３が表示されたラベル４２が貼着されている。このバーコード４３は、このＣＤ４０が封筒１の収納部１５ａに収納された送付体１の宛先シート３０に表示されたバーコード３２と同一のものとなっている。
【００２５】
以下に、図２に示したＣＤ４０を送付する場合の使用方法として、ＣＤ４０をレンタルする場合に図１に示した送付体１を用いてＣＤ４０を送付、返却する方法について説明する。
【００２６】
図３は、図１に示した送付体１によって図２に示したＣＤ４０を送付する場合の使用方法を説明するための図である。
【００２７】
図１に示した送付体１によって図２に示したＣＤ４０を送付する場合は、まず、図３（ａ）に示すように、フィルム袋４１に封入されたＣＤ４０を封筒１０の収納部１５ａに収納するとともに、宛先シート３０を封筒１０の収納部１５ｂに収納し、その後、図３（ｂ）に示すように往信用フラップ部２２から剥離紙２５を剥離する。
【００２８】
往信用フラップ部２２から剥離紙２５を剥離すると、図３（ｃ）に示すように、往信用フラップ部２２の一方の面にて粘着剤２４が表出する。そして、図３（ｄ）に示すようにフラップ部２０を折り部１３ｂにて折り畳み、往信用フラップ部２２に塗布された粘着剤２４によって往信用フラップ部２２を後面片１２に貼着し、封筒１０を封緘する。
【００２９】
封筒１０の前面片１１には、収納部１５ｂとなる領域に、封筒１０の内部が外部から視認可能となる窓部１４ｂが設けられているが、収納部１５ｂに宛先シート３０が収納された場合は、図３（ｅ）に示すように、宛先シート３０に表示された往信用宛先情報３１がこの窓部１４ｂを介して視認可能となるため、この往信用宛先情報３１に従って、ＣＤ４０が収納された送付体１が往信先に確実に送付されることになる。また、宛先シート３０に表示されたバーコード３２が窓部１４ｂから視認可能となるとともに、ＣＤ４０が封入されたフィルム袋４１に貼着されたラベル４２に表示されたバーコード４３が前面片１１の窓部１４ａを介して外部から視認可能となっているため、これら２つのバーコード３２，４３を照合することにより、宛先シート３０が収納された送付体１に、その送付体１によって送付されるＣＤ４０が収納されているかどうかを確認することができる。なお、バーコード３２，４３は、上述したように、送付体１を識別可能なものとして同一なものであってもよいが、互いに異なるものとしてそれらの対応づけを管理しておき、２つのバーコード３２，４３を読み取った際に、その組み合わせが管理された対応づけと一致するかどうかを確認することによって、宛先シート３０が収納された送付体１に、その送付体１によって送付されるＣＤ４０が収納されているかどうかを確認することもできる。
【００３０】
図４は、図１に示した送付体１によって図２に示したＣＤ４０を返却する場合の使用方法を説明するための図である。
【００３１】
ＣＤ４０が封入された送付体１が往信先に届けられた後、図４（ａ）に示すように、ジッパー部２３を破断することにより、返信用フラップ部２１と往信用フラップ部２２とを切り離す。すると、往信用フラップ部２２は粘着剤２４によって後面片１２に貼着されているものの、返信用フラップ部２１は、後面片１２に対向する面に剥離紙２５が貼着されていることにより後面片１２に貼着されていないため、図４（ｂ）に示すように、返信用フラップ部２１を開いて封筒１０を開封することができる。
【００３２】
そして、図４（ｃ）に示すように、開封した封筒１０からフィルム袋４１に封入されたＣＤ４０と、宛先シート３０とを取り出す。上述したように、宛先シート３０には、ＣＤ４０のレンタルに関して、その返却期日やレンタルしたＣＤ４０の一覧、数量、金額等からなる利用明細情報３３が表示されているため、ＣＤ４０の往信先、すなわち、ＣＤ４０をレンタルした利用者は、封筒１０からＣＤ４０を取り出すとともに、利用明細情報３３を閲覧するために宛先シート３０を取り出すことになる。
【００３３】
封筒１０から宛先シート３０を取り出すと、封筒１０の前面片１１に設けられた窓部１４ｂを介して封筒１０の後面片１２が視認可能な状態となるが、後面片１２には、窓部１４ｂに対向する領域に、送付体１を返信する際の返信先の住所や名称、すなわち、レンタルしたＣＤ４０の返却先を示す返信先宛先情報１７が表示されているため、図４（ｄ）に示すように、この返信先宛先情報１７が窓部１４ｂを介して視認可能な状態となる。
【００３４】
その後、レンタルしたＣＤ４０を返却する場合は、まず、図４（ｅ）に示すように、ＣＤ４０をフィルム袋４１に封入した状態で封筒１０の収納部１５ａに収納し、図４（ｆ）に示すように返信用フラップ部２１から剥離紙２５を剥離する。
【００３５】
返信用フラップ部２１から剥離紙２５を剥離すると、図４（ｇ）に示すように、返信用フラップ部２２の一方の面にて粘着剤２４が表出する。そして、図４（ｈ）に示すようにフラップ部２０を折り部１３ｂにて折り畳み、返信用フラップ部２１に塗布された粘着剤２４によって返信用フラップ部２１を後面片１２に貼着し、封筒１０を封緘する。
【００３６】
封筒１０の前面片１１には、収納部１５ｂとなる領域に、封筒１０の内部が外部から視認可能となる窓部１４ｂが設けられており、また、封筒１０の後面片１２には、窓部１４ｂに対向する領域に返信先宛先情報１７が表示されているため、宛先シート３０が収納部１５ｂから取り出された状態においては、図４（ｉ）に示すように、返信先宛先情報１７が窓部１４ｂを介して視認可能となっている。
【００３７】
このように封緘された送付体１は、窓部１４ｂを介して視認可能となった返信先宛先情報１７に従って、ＣＤ４０の返却先に届けられる。
【００３８】
このように本形態においては、ＣＤ４０の送付先にて、送付体１を用いてＣＤ４０を返却する場合、封筒１０の収納部１５ｂに収納された宛先シート３０を取り出すだけでよいため、ＣＤ４０の返却先を示す宛先情報が表示されたシートを必要とすることがなく、それにより、ＣＤ４０の送付先にて返信に手間をかけることがなく、また、ＣＤ４０の返却時には、返却先を示す返信用宛先情報１７が窓部１４ｂから確実に視認可能な状態となる。
【００３９】
また、封筒１０が、ＣＤ４０を収納するための収納部１５ａと、宛先シート３０を収納するための収納部１５ｂとに分離されているため、収納部１５ａの形状を、ＣＤ４０が封入されたフィルム袋４１とほぼ同一のものとすれば、収納部１５ａに収納されたＣＤ４０が収納部１５ａ内であばれてしまうことがなく、また、往信時には、収納部１５ｂに収納された宛先シート３０上にＣＤ４０が重なって、宛先シート３０に表示された往信用宛先情報３１が見えなくなってしまうことがない。
【００４０】
なお、本形態においては、返信用フラップ部２１と往信用フラップ部２２とがジッパー部２３を介して切り離し可能に連接しているが、これらは、ミシン目やティアテープ等の切り離し手段を介して切り離し可能に連接した構成とすればよい。
【００４１】
また、本形態においては、フラップ部２０が、返信用フラップ部２１と往信用フラップ部２２とがジッパー部２３によって切り離し可能に連接し、これら返信用フラップ部２１と往信用フラップ部２２とのそれぞれに粘着剤２４を塗布するとともに、返信用フラップ部２１に粘着剤２４によって剥離紙２５を剥離可能に貼着しておくことにより、封筒１０の再利用を可能としているが、返信用フラップ２１や往信用フラップ部２２を後面片１２に貼着するための貼着構造として、粘着剤と剥離剤とをフラップ部２０と後面片１２とで互い違いとなるように交互に配列したものや、剥離後の再貼着が可能なフィルム基材を用いたものや、自己のみが貼着可能な粘着剤を用いたもの等を採用し、フラップ部２０と後面片１２とを剥離可能かつ剥離後の再貼着が可能な構成とすることも考えられる。
【００４２】
また、上述した本形態においては、往信用フラップ部２２に粘着剤２４が塗布され、この粘着剤２４が塗布された面に剥離紙２５が剥離可能に貼着されているが、往信用フラップ部２２の粘着剤２４が塗布された面に、再湿糊を塗布しておく構成としてもよい。
【００４３】
また、本形態においては、前面片１１と後面片１２とが、互いに対向するように折り部１３ａにて折り畳まれて折り部１３ａに隣接する２辺が互いに貼着された構成を例に挙げて説明したが、前面片１１と後面片１２とが、それぞれ単片状のものからなり、その３辺が互いに貼着された構成や、前面片１１と後面片１２とが互いに対向するように折り部１３ａにて折り畳まれ、折り部１３ａに隣接する２辺において、前面片１１と後面片１２のうち少なくとも一方が折り畳まれ、その折り畳まれた部分が他方と貼着された構成であってもよい。
【００４４】
また、本形態においては、送付体１によって送付される送付物として、図２に示したようにフィルム袋４１に封入されたＣＤ４０を例に挙げて説明したが、送付体１によって送付される送付物としてはこれに限らず、ＣＤやＤＶＤ等の音楽や映像等の情報を記録した円盤状ディスク等が考えられ、また、そのような送付物をフィルム袋に封入せずに送付体１に収納してもよい。
【符号の説明】
【００４５】
１    送付体
１０    封筒
１１    前面片
１２    後面片
１３ａ，１３ｂ    折り部
１４ａ，１４ｂ    窓部
１５ａ，１５ｂ    収納部
１６，２４    粘着剤
１７    返信用宛先情報
２０    フラップ部
２１    返信用フラップ部
２２    往信用フラップ部
２３    ジッパー部
２５    剥離紙
３０    宛先シート
３１    往信用宛先情報
３２，４３    バーコード
３３    利用明細情報
４０    ＣＤ
４１    フィルム袋
４２    ラベル
【図１】
2010173659.tif 000003
【図２】
2010173659.tif 000004
【図３】
2010173659.tif 000005
【図４】
2010173659.tif 000006